(57)【要約】【課題】  ヒートポンプ式冷凍サイクルの適切な運転制御を可能とするヒートポンプ式熱源装置を提供する。【解決手段】  ヒートポンプ式冷凍サイクルの運転により温水を得るヒートポンプ式熱源装置において、室外ファンにより吸込まれる外気の温度を外気温度センサで検知し、その検知温度に応じてヒートポンプ式冷凍サイクルの運転を制御するとともに、そのヒートポンプ式冷凍サイクルの運転開始前に室外ファンを動作させる。【選択図】図１
2018087695.tif 000002
【特許請求の範囲】
【請求項１】
ヒートポンプ式冷凍サイクルの運転により温水を得るヒートポンプ式熱源装置であって、
外気を吸込んで前記ヒートポンプ式冷凍サイクルの蒸発器に通す室外ファンと、
前記室外ファンにより吸込まれる外気の温度を検知する外気温度センサと、
前記ヒートポンプ式冷凍サイクルの運転を前記外気温度センサの検知温度に応じて制御するとともに、そのヒートポンプ式冷凍サイクルの運転開始前に前記室外ファンを動作させる制御手段と、
を備えることを特徴とするヒートポンプ式熱源装置。
【請求項２】
前記ヒートポンプ式冷凍サイクルは、圧縮機、水熱交換器、減圧器、蒸発器を有し、前記水熱交換器に流れる水を前記圧縮機の吐出冷媒で温めて温水とする、
さらに、
前記水熱交換器から流出する温水を給湯用タンクまたは暖房用放熱器に送り、その給湯用タンクまたは暖房用放熱器から流出する温水を前記水熱交換器に流入させる循環ポンプと、
前記水熱交換器から流出する温水を加熱する補助熱源と、
前記水熱交換器に戻る温水の温度を検知する温水温度センサと、
を備え、
前記制御手段は、前記ヒートポンプ式冷凍サイクルの運転および前記補助熱源の運転を前記外気温度センサの検知温度および前記温水温度センサの検知温度に応じて制御するとともに、前記ヒートポンプ式冷凍サイクルの運転開始前または前記補助熱源の運転開始前に前記室外ファンおよび前記循環ポンプを動作させる、
ことを特徴とする請求項１記載のヒートポンプ式熱源装置。
【請求項３】
前記制御手段は、前記ヒートポンプ式冷凍サイクルの運転を停止して前記補助熱源を運転する場合に、前記室外ファンを断続運転する、
ことを特徴とする請求項２記載のヒートポンプ式熱源装置。
【請求項４】
前記室外ファンは、第１室外ファンおよび第２室外ファンであり、
前記外気温度センサは、前記第１室外ファンにより吸込まれる外気の温度を検知する、
前記制御手段は、前記ヒートポンプ式冷凍サイクルの運転開始前に前記第１室外ファンを動作させて前記第２室外ファンを停止する、
ことを特徴とする請求項１のヒートポンプ式熱源装置。
【発明の詳細な説明】
【技術分野】
【０００１】
本発明の実施形態は、暖房や給湯に使用する温水をヒートポンプ式冷凍サイクルの運転により得るヒートポンプ式熱源装置に関する。
【背景技術】
【０００２】
ヒートポンプ式冷凍サイクルの運転により外気から熱を汲み上げ、その汲み上げ熱で温めた温水を暖房用放熱器や給湯用タンクに送るヒートポンプ式熱源装置が知られている。
【０００３】
ヒートポンプ式冷凍サイクルは、圧縮機、水熱交換器、減圧器、蒸発器を有し、水熱交換器に流れる水を圧縮機の吐出冷媒で温めて温水とする。
【先行技術文献】
【特許文献】
【０００４】
【特許文献１】特開２００６−２５８３４０号公報
【発明の概要】
【発明が解決しようとする課題】
【０００５】
上記ヒートポンプ式熱源装置は、圧縮機や蒸発器を収容する室外機に外気温度センサを配置し、その外気温度センサの検知温度に応じてヒートポンプ式冷凍サイクルの運転を制御する。
【０００６】
ただし、室外機の外気温度センサは、直射日光などの影響により、実際の値とは異なる値を示すことがある。この誤検知のまま運転が制御されると、効率の悪い運転となり、ヒートポンプ式冷凍サイクルの採用によるせっかくの省エネルギー性能が損なわれてしまう。
【０００７】
本発明の実施形態の目的は、外気温度を的確に捕えることができ、これによりヒートポンプ式冷凍サイクルの適切な運転制御を可能とするヒートポンプ式熱源装置を提供することである。
【課題を解決するための手段】
【０００８】
請求項１のヒートポンプ式熱源装置は、ヒートポンプ式冷凍サイクルの運転により温水を得るものであって、室外ファン、外気温度センサ、制御手段を備える。室外ファンは、外気を吸込んでヒートポンプ式冷凍サイクルの蒸発器に通す。外気温度センサは、前記室外ファンにより吸込まれる外気の温度を検知する。制御手段は、前記ヒートポンプ式冷凍サイクルの運転を前記外気温度センサの検知温度に応じて制御するとともに、そのヒートポンプ式冷凍サイクルの運転開始前に前記室外ファンを動作させる。
【図面の簡単な説明】
【０００９】
【図１】一実施形態の構成を示すブロック図。
【図２】同実施形態における室外機の外観を示す図。
【図３】同実施形態におけるコントローラの制御を示すフローチャート。
【図４】同実施形態の運転制御条件を示す図。
【発明を実施するための形態】
【００１０】
以下、一実施形態について図面を参照して説明する。  
【００１１】
図１に示すように、圧縮機１の吐出口に四方弁２を介して水熱交換器３の冷媒流路の一端が配管接続され、その冷媒流路の他端が減圧器である膨張弁４を介して空気熱交換器５ａ，５ｂの一端に配管接続される。そして、空気熱交換器５ａ，５ｂの他端が上記四方弁２およびアキュームレータ６を介して圧縮機１の吸込口に配管接続される。これら配管接続により、ヒートポンプ式冷凍サイクルが構成される。空気熱交換器５ａ，５ｂの近傍に、室外ファン７ａ，７ｂが配置される。室外ファン７ａ，７ｂは、外気を吸込みその吸込み空気を空気熱交換器５ａ，５ｂに通す。
【００１２】
暖房時、矢印で示すように、圧縮機１から吐出されるガス冷媒が四方弁２を通って水熱交換器３の冷媒流路に流れる。冷媒流路に流れたガス冷媒は、水熱交換器３の水流路に流れる水に熱を奪われて凝縮する。水熱交換器３の冷媒流路から流出する液冷媒は、膨張弁４で減圧されて空気熱交換器５ａ，５ｂに流れる。空気熱交換器５ａ，５ｂに流れた液冷媒は、外気から熱を汲み上げて蒸発する。空気熱交換器５ａ，５ｂから流出するガス冷媒は、四方弁２およびアキュームレータ６を通って圧縮機１に吸込まれる。水熱交換器３の冷媒流路が凝縮器として機能し、空気熱交換器５ａ，５ｂが蒸発器として機能する。
【００１３】
空気熱交換器５ａ，５ｂの近傍に、室外ファン（第１室外ファン）７ａおよび室外ファン（第２室外ファン）７ｂが配置される。室外ファン７ａ，７ｂは、外気を吸込み、その吸込み空気を空気熱交換器５ａ，５ｂに通す。この室外ファン７ａ，７ｂにより形成される吸込み風路の上流側に、外気温度センサ３１が配置される。外気温度センサ３１は、室外ファン７ａ，７ｂにより吸込まれる外気の温度Ｔｏを検知する。
【００１４】
水熱交換器３の水出口に補助熱源であるヒータ１１を介して循環ポンプ１２の吸込口が配管接続され、その循環ポンプ１２の吐出口が三方弁１３の水入口に配管接続される。そして、三方弁１３の水出口１３ａに給湯用タンク１４における放熱コイル１５の水入口が配管接続され、その放熱コイル１５の水流出口が水熱交換器３の水入口に配管接続される。さらに、三方弁１３の水出口１３ｂに複数の暖房用放熱器２１，２２，２３のそれぞれ水入口が接続され、その暖房用放熱器２１，２２，２３の水出口が水熱交換器３の水入口に配管接続される。三方弁１３は、水入口および２つの水出口１３ａ，１３ｂを有し、水入口から水出口１３ａに至る第１流路および水入口から水出口１３ｂに至る第２流路のいずれか一方を選択的に形成する。
【００１５】
これら水熱交換器３から給湯用タンク１４および暖房用放熱器２１，２２，２３にかけての配管接続により、温水循環サイクルが形成される。給湯用タンク１４および暖房用放熱器２１，２２，２３から水熱交換器３に至る配管に、温水温度センサ３２が取付けられる。温水温度センサ３２は、給湯用タンク１４および暖房用放熱器２１，２２，２３から流出して水熱交換器３に戻る温水の温度Ｔｗを検知する。
【００１６】
ヒータ１１は、水熱交換器３から流出する温水を暖房運転時に必要に応じて加熱するもので、例えば電気ヒータやガスボイラーなどを用いる。循環ポンプ１２は、水熱交換器３から流出する温水を給湯用タンク１４または暖房用放熱器２１，２２，２３に送り、その給湯用タンク１４または暖房用放熱器２１，２２，２３から流出する温水を水熱交換器３に流入させる。暖房用放熱器２１，２２，２３は、流入する温水の熱を被空調空間に放出するもので、床暖房パネル、温風吹出し型のファンコイル、熱輻射型のラジエータなどを選択的に用いることが可能である。
【００１７】
給湯用タンク１４は、放熱コイル１５およびヒータ（電気ヒータ）１６を内蔵し、入水管１７から流入する水を放熱コイル１５の放熱およびヒータ１６の発熱で温めて給湯用の温水として貯え、貯えた温水を出水管１８に導く。出水管１８の先端の蛇口１８ａが開くと、給湯用タンク１４内の温水が出水管１８を介して流出する。給湯用タンク１４内に、温水温度センサ３３が配置される。温水温度センサ３３は、給湯用タンク１４内の温水の温度Ｔｔを検知する。
【００１８】
上記圧縮機１、四方弁２、水熱交換器３、膨張弁４、空気熱交換器５ａ，５ｂ、アキュームレータ６、室外ファン７ａ，７ｂ、外気温度センサ３１は、室外機Ａに収容される。上記水熱交換器３、ヒータ１１、循環ポンプ１２、温水温度センサ３２は、水熱交ユニットＢに収容される。
【００１９】
室外機Ａの外観を図２に示す。室外機Ａの外観を形成する筐体５０は、上下方向に沿って並ぶ２つの空気放出口５１ａ，５１ｂを前面に備える。上方側の空気放出口５１ａの内側に室外ファン７ａが配置され、下方側の空気放出口５１ｂの内側に室外ファン７ｂが配置される。そして、筐体５０内において、室外ファン７ａによって形成される吸込み風路に上記外気温度センサ３１が配置される。
【００２０】
これら室外機Ａおよび水熱交ユニットＢに、コントローラ（制御手段）４０が接続される。コントローラ４０には、運転条件設定用のリモートコントロール式の操作表示器４１、電磁式の三方弁１３、給湯用タンク１４のヒータ１６および温水温度センサ３３なども接続される。なお、コントローラ４０は水熱交ユニットＢの筐体内に配置されており、操作表示部４１は温湯の各供給先や被空調空間などの利用先に設置される。
【００２１】
コントローラ４０は、内部メモリに格納した制御プログラムに基づく主要な機能として、次の（１）〜（４）の機能を有する。
【００２２】
（１）操作表示器４１で給湯運転モードが設定された場合、三方弁１３の第１流路を開いて第２流路を閉じ、水熱交換器３と給湯用タンク１４との間の温水循環サイクルを形成する第１制御手段。
【００２３】
（２）操作表示器４１で暖房運転モードが設定された場合、三方弁１３の第２流路を開いて第１流路を閉じ、水熱交換器３と暖房用放熱器２１，２２，２３との間の温水循環サイクルを形成する第２制御手段。
【００２４】
（３）上記給湯運転モードおよび上記暖房運転モードにおいて、ヒートポンプ式冷凍サイクルの運転および補助熱源（ヒータ１１またはヒータ１６）の運転を外気温度センサ３１の検知温度Ｔｏおよび温水温度センサ３２の検知温度Ｔｗに応じて制御するとともに、ヒートポンプ式冷凍サイクルの運転開始前または補助熱源の運転開始前に室外ファン７ａ，７ｂおよび循環ポンプ１２を動作させる第３制御手段。
【００２５】
（４）上記第３制御手段の制御によりヒートポンプ式冷凍サイクルの運転を停止して補助熱源を運転する場合に、室外ファン７ａ，７ｂを運転する第４制御手段。
【００２６】
つぎに、コントローラ４０が実行する制御を図３のフローチャートを参照しながら説明する。  
【００２７】
［給湯運転モード］  
コントローラ４０は、操作表示器４１の操作、操作表示器４１の設定温度、温水温度センサ３３の検知温度Ｔｔなどに応じた運転開始条件の成立を監視する（ステップＳ１）。運転開始条件が成立した場合（ステップＳ１のＹＥＳ）、コントローラ４０は、実際に運転を開始する前の処置として、循環ポンプ１２の運転をオンするとともに、室外ファン７ａ，７ｂの運転をオンする（ステップＳ２）。
【００２８】
循環ポンプ１２が運転オンすると、水熱交換器３と給湯用タンク１４との間で温水（または水）が循環して流れ、その流れる温水の温度Ｔｗが温水温度センサ３２によって検知される。温水が流れるので、配管中の温水の寝込みなどが解消されて、温水温度Ｔｗを的確に捕えることができる。
【００２９】
室外ファン７ａ，７ｂが運転オンすると、外気が室外機Ａに吸込まれ、その吸込み空気（外気）の温度Ｔｏが外気温度センサ３１によって検知される。外気が流通するので、外気温度Ｔｏを的確に捕えることができる。
【００３０】
コントローラ４０は、循環ポンプ１２の運転オンおよび室外ファン７ａ，７ｂの運転オンに伴いタイムカウントｔを“０”から開始し（ステップＳ３）、そのタイムカウントｔと設定時間ｔ１（例えば３分）とを比較する（ステップＳ４）。
【００３１】
タイムカウントｔが設定時間ｔ１に達した場合（ステップＳ４のＹＥＳ）、コントローラ４０は、外気温度センサ３１の検知温度Ｔｏと設定値Ｔｏ３とを比較する（ステップＳ５）。
【００３２】
設定値Ｔｏ３は、図４に示す運転制御条件に含まれる。この運転制御条件は、ヒートポンプ式冷凍サイクルを運転するヒートポンプ領域、および補助熱源であるヒータ１１を運転する補助熱源領域を、外気温度Ｔｏおよび温水温度Ｔｗに対し定めたものである。ヒートポンプ領域は、圧縮機保護のための使用範囲に相当する。外気温度Ｔｏについて見ると、設定値Ｔｏ３未満をヒートポンプ領域と定め、設定値Ｔｏ３以上を補助熱源領域と定めている。温水温度Ｔｗについて見ると、外気温度Ｔｏに応じて設定値Ｔｗ２〜Ｔｗ４の範囲で変わる可変設定値未満をヒートポンプ領域と定め、その可変設定値以上を補助熱源領域と定めている。
【００３３】
外気温度センサ３１の検知温度Ｔｏが設定値Ｔｏ３未満の場合（ステップＳ５のＹＥＳ）、コントローラ４０は、温水温度センサ３２の検知温度Ｔｗがヒートポンプ領域に存するか否かを判定する（ステップＳ６）。
【００３４】
温水温度センサ３２の検知温度Ｔｗがヒートポンプ領域に存する場合（ステップＳ６のＹＥＳ）、コントローラ４０は、ヒートポンプ式冷凍サイクルの運転いわゆるヒートポンプ運転を実行する（ステップＳ７）。
【００３５】
すなわち、コントローラ４０は、ヒートポンプ運転として、圧縮機１を運転オンするとともに、室外ファン７ａ，７ｂを運転オンする。これにより、水熱交換器３が凝縮器として機能する。さらに、コントローラ４０は、循環ポンプ１２を運転オンする。ヒータ１１，１５は動作させない。これにより、水熱交換器３で温められた温水が給湯用タンク１４に流れる。給湯用タンク１４内の温水がヒートポンプ式冷凍サイクルの汲上げ熱で温められる。
【００３６】
外気温度センサ３１の検知温度Ｔｏが設定値Ｔｏ３以上の場合（ステップＳ５のＮＯ）、コントローラ４０は、給湯用タンク１４内のヒータ１６を用いる補助熱源運転を実行する（ステップＳ８）。また、外気温度センサ３１の検知温度Ｔｏが設定値Ｔｏ３未満であっても（ステップＳ５のＹＥＳ）、温水温度センサ３２の検知温度Ｔｗがヒートポンプ領域から外れている場合（ステップＳ６のＮＯ）、コントローラ４０は、ヒータ１６を用いる補助熱源運転を実行する（ステップＳ８）。
【００３７】
すなわち、コントローラ４０は、補助熱源運転として、ヒータ１６を動作させるとともに、循環ポンプ１２を運転オンする。ヒータ１１は動作させない。よって、給湯用タンク１４内の温水がヒータ１６の発熱で温められる。
【００３８】
このヒータ１６を用いる補助熱源運転時、コントローラ４０は、室外ファン７ａ，７ｂを運転オンする。この室外ファン７ａ，７ｂの運転オンにより外気が流通するので、外気温度センサ３１による外気温度Ｔｏの的確な検知を継続することができる。
【００３９】
ヒートポンプ運転または補助熱源運転の実行に伴い、コントローラ４０は、操作表示器４１の操作、操作表示器４１の設定温度、温水温度センサ３３の検知温度Ｔｔなどに応じた運転停止条件の成立を監視する（ステップＳ９）。
【００４０】
運転停止条件が成立しない場合（ステップＳ９のＮＯ）、コントローラ４０は、ステップＳ５の判定に戻る。運転停止条件が成立した場合（ステップＳ９のＹＥＳ）、ヒートポンプ運転または補助熱源運転を停止する（ステップＳ１０）。
【００４１】
［暖房運転モード］  
コントローラ４０は、操作表示器４１の操作、操作表示器４１の設定温度、被空調空間の雰囲気温度（室内温度）などに応じた運転開始条件の成立を監視する（ステップＳ１）。運転開始条件が成立した場合（ステップＳ１のＹＥＳ）、コントローラ４０は、実際に運転を開始する前の処置として、循環ポンプ１２の運転をオンするとともに、室外ファン７ａ，７ｂの運転をオンする（ステップＳ２）。
【００４２】
循環ポンプ１２が運転オンすると、水熱交換器３と暖房用放熱器２１，２２，２３との間で温水（または水）が循環して流れ、流れる温水の温度Ｔｗが温水温度センサ３２によって検知される。温水が流れるので、配管中の温水の寝込みなどが解消されて、温水温度Ｔｗを的確に捕えることができる。
【００４３】
室外ファン７ａ，７ｂが運転オンすると、外気が室外機Ａに吸込まれ、その吸込み空気（外気）の温度Ｔｏが外気温度センサ３１によって検知される。外気が流通するので、外気温度Ｔｏを的確に捕えることができる。
【００４４】
コントローラ４０は、循環ポンプ１２の運転オンおよび室外ファン７ａ，７ｂの運転オンに伴いタイムカウントｔを“０”から開始し（ステップＳ３）、そのタイムカウントｔと設定時間ｔ１（例えば３分）とを比較する（ステップＳ４）。
【００４５】
タイムカウントｔが設定時間ｔ１に達した場合（ステップＳ４のＹＥＳ）、コントローラ４０は、外気温度センサ３１の検知温度Ｔｏと設定値Ｔｏ３とを比較する（ステップＳ５）。
【００４６】
外気温度センサ３１の検知温度Ｔｏが設定値Ｔｏ３未満の場合（ステップＳ５のＹＥＳ）、コントローラ４０は、温水温度センサ３２の検知温度Ｔｗがヒートポンプ領域に存するか否かを判定する（ステップＳ６）。
【００４７】
温水温度センサ３２の検知温度Ｔｗがヒートポンプ領域に存する場合（ステップＳ６のＹＥＳ）、コントローラ４０は、ヒートポンプ運転を実行する（ステップＳ７）。
【００４８】
すなわち、コントローラ４０は、ヒートポンプ運転として、圧縮機１を運転オンするとともに、室外ファン７ａ，７ｂを運転オンする。これにより、水熱交換器３が凝縮器として機能する。さらに、コントローラ４０は、循環ポンプ１２を運転オンする。ヒータ１１，１５は動作させない。これにより、水熱交換器３で温められた温水が暖房用放熱器２１，２２，２３に流れる。暖房用放熱器２１，２２，２３のある被空調空間がヒートポンプ式冷凍サイクルの汲上げ熱で暖房される。
【００４９】
外気温度センサ３１の検知温度Ｔｏが設定値Ｔｏ３以上の場合（ステップＳ５のＮＯ）、コントローラ４０は、ヒータ１１を用いる補助熱源運転を実行する（ステップＳ８）。また、外気温度センサ３１の検知温度Ｔｏが設定値Ｔｏ３未満であっても（ステップＳ５のＹＥＳ）、温水温度センサ３２の検知温度Ｔｗがヒートポンプ領域から外れている場合（ステップＳ６のＮＯ）、コントローラ４０は、ヒータ１１を用いる補助熱源運転を実行する（ステップＳ８）。
【００５０】
すなわち、コントローラ４０は、補助熱源運転として、ヒータ１１を動作させるとともに、循環ポンプ１２を運転オンする。これにより、水熱交換器３と暖房用放熱器２１，２２，２３との間で水が循環し、その循環水がヒータ１１の発熱で温められる。圧縮機１は運転させない。ヒータ１６は動作させない。よって、暖房用放熱器２１，２２，２３のある被空調空間がヒータ１１の発熱で暖房される。
【００５１】
このヒータ１１を用いる補助熱源運転時、コントローラ４０は、室外ファン７ａ，７ｂを運転オンする。この室外ファン７ａ，７ｂの運転オンにより外気が流通するので、外気温度センサ３１による外気温度Ｔｏの的確な検知を継続することができる。
【００５２】
ヒートポンプ運転または補助熱源運転の実行に伴い、コントローラ４０は、操作表示器４１の操作、操作表示器４１の設定温度、被空調空間の雰囲気温度（室内温度）などに応じた運転停止条件の成立を監視する（ステップＳ９）。
【００５３】
運転停止条件が成立しない場合（ステップＳ９のＮＯ）、コントローラ４０は、ステップＳ５の判定に戻る。運転停止条件が成立した場合（ステップＳ９のＹＥＳ）、ヒートポンプ運転または補助熱源運転を停止する（ステップＳ１０）。
【００５４】
以上のように、ヒートポンプ運転や補助熱源運転の開始前に、あらかじめ室外ファン７ａ，７ｂを運転オンして外気を流通させることにより、室外機Ａの筐体５０に直射日光が当たっていても、あるいは筐体５０の周りが壁などで囲まれていても、外気温度Ｔｏを的確に捕えることができる。
【００５５】
例えば、図４の運転制御条件において、室外ファン７ａ，７ｂが運転オフの場合は外気温度センサ３１の検知温度が直射日光の影響を受けて設定値Ｔｏ３より高い値Ｔｏｘとなり、ヒータ１１を用いる効率の悪い補助熱源運転が実行されてしまう。これに対し、室外ファン７ａ，７ｂがあらかじめ運転オンすることにより、外気温度センサ３１の検知温度が直射日光の影響にかかわらず設定値Ｔｏ３より低い値（適正値）Ｔｏａとなる。よって、ヒートポンプ式冷凍サイクルの適切な運転制御が可能となり、ひいてはヒートポンプ式冷凍サイクルの運転率が拡がる。省エネルギー性能が向上する。
【００５６】
しかも、ヒートポンプ運転や補助熱源運転の開始前に、循環ポンプ１２を運転オンして温水循環サイクルの温水を流すので、配管中の温水の寝込みなどが解消されて、温水温度Ｔｗを的確に捕えることができる。
【００５７】
外気温度Ｔｏおよび温水温度Ｔｗの両方を的確に捕えることができるので、運転領域の判定に要する時間を短縮することができる。つまり、運転制御の応答性が向上して、無駄な待機時間を減らすことができる。この点でも、ヒートポンプ式冷凍サイクルの適切な運転制御が可能となる。
【００５８】
さらに、ヒータを用いる補助熱源運転の場合、発熱量を得ることだけ考えれば、室外ファン７ａ，７ｂの運転は不要である。これに対し、本実施形態では、補助熱源運転時にあえて室外ファン７ａ，７ｂを運転オンするので、補助熱源運転中も外気温度Ｔｏを的確に捕えることができる。無風だったり、風の当たらない場所に室外機Ａの筐体５０が設定されている場合には、実際の外気温度Ｔｏが補助熱源領域からヒートポンプ領域に移ったとしても、それを外気温度センサ３１が検知するまでに時間がかかってしまう。このような検知の遅れを室外ファン７ａ，７ｂの運転オンによって解消できる。
【００５９】
また、運転制御条件におけるヒートポンプ領域は、圧縮機１の容量や性能等を考慮して定められている。このため、圧縮機１を本来のヒートポンプ領域から外れたところで運転すると、圧縮機１にとって過負荷運転となり、圧縮機１の機械的な寿命や信頼性に悪影響を与えてしまう。これに対し、本実施形態では、外気温度Ｔｏおよび温水温度Ｔｗの両方を的確に捕えるので、そのような不具合を防ぐことができる。
【００６０】
［実施形態の変形例］
なお、コントローラ４０の上記（４）の第４制御手段に代えて、次の（４ｘ）の第４制御手段を採用してもよい。
【００６１】
（４ｘ）上記第３制御手段の制御によりヒートポンプ式冷凍サイクルの運転を停止して補助熱源を運転する場合に、室外ファン７ａ，７ｂを一定時間ごとに所定時間ずつ運転オンする断続運転いわゆるインターバル運転を実行する第４制御手段。
【００６２】
このように、室外ファン７ａ，７ｂをインターバル運転することにより、外気温度Ｔｏを的確に捕えながら、電力消費をできるだけ抑えることができる。省エネルギー性能が向上する。
【００６３】
一方、コントローラ４０の上記（３）の第３制御手段および上記（４）の第４制御手段に代えて、次の（３ｙ）の第３制御手段および（４ｙ）の第４制御手段を採用してもよい。
【００６４】
（３ｙ）上記給湯運転モードおよび上記暖房運転モードにおいて、ヒートポンプ式冷凍サイクルの運転および補助熱源（ヒータ１１またはヒータ１６）の運転を外気温度センサ３１の検知温度Ｔｏおよび温水温度センサ３２の検知温度Ｔｗに応じて制御するとともに、ヒートポンプ式冷凍サイクルの運転開始前または補助熱源の運転開始前に室外ファン７ａおよび循環ポンプ１２を動作させて室外ファン７ｂを停止する第３制御手段。
【００６５】
（４ｙ）上記第３制御手段の制御によりヒートポンプ式冷凍サイクルの運転を停止して補助熱源を運転する場合に、室外ファン７ａを運転して室外ファン７ｂを停止する第４制御手段。
【００６６】
このように、外気温度センサ３１の配置位置に近い側の室外ファン７ａのみ運転し、室外ファン７ｂは停止することにより、外気温度Ｔｏを的確に捕えながら、室外ファン運転に要する電力消費を抑えることができる。省エネルギー性能が向上する。
【００６７】
なお、上記実施形態および各変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００６８】
Ａ…室外機、Ｂ…水熱交ユニット、１…圧縮機、２…四方弁、３…水熱交換器、４…膨張弁（減圧器）、５ａ，５ｂ…空気熱交換器（蒸発器）、７ａ，７ｂ…室外ファン、１１…ヒータ（補助熱源）、１２…循環ポンプ、１３…三方弁、１４…給湯用タンク、１５…熱交換コイル、１６…ヒータ、２１，２２，２３…暖房用放熱器、４０…コントローラ、４１…操作表示器
【図１】
2018087695.tif 000003
【図２】
2018087695.tif 000004
【図３】
2018087695.tif 000005
【図４】
2018087695.tif 000006
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
ヒートポンプ式冷凍サイクルの運転により温水を得るヒートポンプ式熱源装置であって、
外気を吸込んで前記ヒートポンプ式冷凍サイクルの蒸発器に通す第１室外ファンおよび第２室外ファンと、
前記第１室外ファンにより吸込まれる外気の温度を検知する外気温度センサと、
前記ヒートポンプ式冷凍サイクルの運転を前記外気温度センサの検知温度に応じて制御するとともに、そのヒートポンプ式冷凍サイクルの運転開始前に前記第１室外ファンを動作させて前記第２室外ファンを停止する制御手段と、
を備えることを特徴とするヒートポンプ式熱源装置。
【手続補正２】
【補正対象書類名】明細書
【補正対象項目名】０００８
【補正方法】変更
【補正の内容】
【０００８】
請求項１のヒートポンプ式熱源装置は、ヒートポンプ式冷凍サイクルの運転により温水を得るものであって、第１室外ファンおよび第２室外ファン、外気温度センサ、制御手段を備える。第１室外ファンおよび第２室外ファンは、外気を吸込んでヒートポンプ式冷凍サイクルの蒸発器に通す。外気温度センサは、前記第１室外ファンにより吸込まれる外気の温度を検知する。制御手段は、前記ヒートポンプ式冷凍サイクルの運転を前記外気温度センサの検知温度に応じて制御するとともに、そのヒートポンプ式冷凍サイクルの運転開始前に前記第１室外ファンを動作させて前記第２室外ファンを停止する。